(57)【要約】【課題】防止具を着脱したり、肘保護物と一緒に装着したりすることなしに、袖部が手袋本体の方にずれ落ちたり、手袋の全体が手からずれたり外れたりするのを確実に防止でき、結果的に水等が侵入し難い手袋を提供する。【解決手段】略筒状の袖部２と、その一端７に連なる手袋本体３とをゴムまたは樹脂の膜によって一体に形成し、かつ前記袖部２の他端を袖口４として開口した手袋１であって、前記袖部２の全周に、前記一端７から袖口４に向けて深さが徐々に深くなって、前記袖口４に達する複数のプリーツ１１を設けた。【選択図】図１
2012162825.tif 000002
【特許請求の範囲】
【請求項１】
略筒状の袖部と、前記袖部の一端に連なる手袋本体とがゴムまたは樹脂の膜によって一体に形成され、かつ前記袖部の他端が袖口として開口された手袋であって、前記袖部には、前記手袋本体に連なる一端から袖口に達する複数のプリーツが全周に亘って設けられているとともに、前記各プリーツは、前記一端から袖口に向けて深さが徐々に深くなっていることを特徴とする手袋。
【請求項２】
前記手袋を形成する各部に応力を加えないフリーの状態での周長Ｒ１と、プリーツを伸ばした時の周長Ｒ２とから、式(1)：
伸縮比Ｅ＝Ｒ２／Ｒ１      (1)
で求められる伸縮比Ｅが、前記袖部の一端において１、袖口において１／０．９以上、１／０．６以下の範囲内で、かつ前記一端から前記袖口にかけて伸縮比Ｅが前記１から徐々に増加している請求項１に記載の手袋。
【請求項３】
前記袖部の、前記一端から袖口までの長さが１０ｃｍ以上である請求項１または２に記載の手袋。
【請求項４】
前記膜の厚みが０．１ｍｍ以上、２ｍｍ以下である請求項１ないし３のいずれか１項に記載の手袋。
【発明の詳細な説明】
【技術分野】
【０００１】
本発明は、全体がゴムまたは樹脂の膜によって一体に形成された手袋に関するものである。
【背景技術】
【０００２】
一般家庭用から各種産業における作業用、さらには医療用の手袋として、略筒状の袖部と、前記袖部の一端に連なり手首から指先までを保護する手袋本体とを天然ゴム、アクリロニトリル−ブタジエンゴム（ＮＢＲ）等の合成ゴム、あるいは塩化ビニル系樹脂、ウレタン系樹脂等の樹脂等によって一体に形成し、かつ前記袖部の他端を袖口として開口した手袋が広く普及している。
【０００３】
また前記手袋としては様々な厚みを有するものがあるが、特に近年は、手に対するフィット性や手袋を装着した状態での作業性等を向上するために、前記ゴムや樹脂の薄い膜のみによって形成された、軟らかく柔軟性のある手袋に対する需要が増加する傾向にある。
しかし前記膜は柔軟であるほど、また薄いほど剛性が低下する傾向にある。そのため、例えば前記薄手の手袋を装着して実際に使用した際に、手首から前腕にかけてを覆うべき袖部が手袋本体の方にずれ落ちたり、手袋の全体が手からずれたり外れたりしやすくなって、例えば水仕事に使用した際に、跳ねた水が中に入って手袋をしている意味がなくなってしまうといった問題がある。
【０００４】
前記問題を解決するため、例えば特許文献１、２等においては、手袋の袖口をクリップしてずれ落ちを防止するための防止具が提案されているが、手袋の使用に先立ってかかる防止具を装着したり、使用後に取り外したりするのは面倒である。
また特許文献３には、前記手袋の袖口に締め紐を設けた手袋が記載されているが、手袋の使用に先立ってかかる締めひもを締めたり、使用後に緩めたりするのはやはり面倒である。
【０００５】
特許文献４には、短い手袋と併用する筒状で、かつその一端側から他端側に達する複数のプリーツが設けられた肘保護物が記載されている。前記肘保護物は、前記プリーツを設けたことによる周方向の伸縮性によって肘からずれ落ちたりしにくいものであるが、かかる肘保護物を、手袋とともに、両者の間に隙間が生じないように装着したり、あるいは手袋とともに外したりするのはやはり面倒である。また使用中に、例えば肘の伸縮等によって肘保護物がずれて手袋との間に隙間を生じて、そこから水が侵入してしまう場合があり、万全ではない。
【０００６】
特許文献５、６には、手袋の手の甲側の、指先から袖口にかけての全体に、前記指先から袖口に達する複数のプリーツを設けることが記載されている。しかしこれらのプリーツは、いずれも手の甲側で手袋が手に密着するのを防止し、通気性を確保するためのものであって、ずれ防止用としての考慮はされていない。
すなわち特許文献５、６の手袋は、前記のように手袋の手の甲側にのみプリーツが形成されるため、先の肘保護物のように伸縮性を付与して袖部がずれ落ちるのを防止する機能は備えていない。
【先行技術文献】
【特許文献】
【０００７】
【特許文献１】特開２００７−１１９９８２号公報
【特許文献２】特開２００８−２０４４号公報
【特許文献３】特開平１１−２８６８０９号公報
【特許文献４】実開平４−９７８０５号公報
【特許文献５】実開昭４９−８２９１３号公報
【特許文献６】実開平３−２４１１４号公報
【発明の概要】
【発明が解決しようとする課題】
【０００８】
本発明の目的は、防止具を着脱したり、肘保護物と一緒に装着したりすることなしに、袖部が手袋本体の方にずれ落ちたり、手袋の全体が手からずれたり外れたりするのを確実に防止でき、結果的に水等が侵入し難い手袋を提供することにある。
【課題を解決するための手段】
【０００９】
前記課題を解決するため、発明者は、手袋の袖部の全周に亘ってプリーツを形成することで、袖部に良好な伸縮性を付与して、前記袖部が手袋本体の方にずれ落ちたり、手袋の全体が手からずれたり外れたりするのを防止することを検討した。しかし、前記特許文献４に記載された肘保護物のプリーツのような、深さが一定のプリーツを袖部に設けた場合には、
・  特に前腕部の中で最も細い手首に対する締りが悪くなって、手袋を装着した状態での作業性が低下したり、
・  作業途中に袖部が途中で折り返されたり垂れ下がったりして、水仕事の際に跳ねた水が袖口から侵入するのを確実に防止できなかったり、
することが判った。
【００１０】
折り返しや垂れ下がりを防止するには、ゴムまたは樹脂の膜を厚くして剛性を高めればよいが、その場合には手袋を形成するゴムや樹脂の量が増加して手袋が重くなったり、コストが高くついたりするという問題がある。
そこでプリーツの深さについてさらに検討した結果、袖部の全周に亘って形成するプリーツの深さを、手袋本体に連なる一端から袖口に向けて徐々に深くすればよいことを見出し、本発明を完成するに至った。
【００１１】
すなわち本発明は、略筒状の袖部と、前記袖部の一端に連なる手袋本体とがゴムまたは樹脂の膜によって一体に形成され、かつ前記袖部の他端が袖口として開口された手袋であって、前記袖部には、前記手袋本体に連なる一端から袖口に達する複数のプリーツが全周に亘って設けられているとともに、前記各プリーツは、前記一端から袖口に向けて深さが徐々に深くなっていることを特徴とする。
【００１２】
本発明によれば、前記のように袖部の全周に亘って、手袋本体に連なる一端から袖口に達するプリーツを設けるとともに、各プリーツの深さを、前記一端近傍において浅くすることで、式(1)：
伸縮比Ｅ＝Ｒ２／Ｒ１      (1)
〔式中、Ｒ１は手袋を形成する各部に応力を加えないフリーの状態での周長、Ｒ２は、同じ場所でプリーツがなくなるまで引き伸ばした時の周長を示す。〕
によって求められる伸縮比Ｅを、前記一端近傍において小さくしている。
【００１３】
そのため前記袖部のうち、前腕部の中でも最も細い手首に対応する前記一端近傍を、前記手首に対してしっかりフィットさせることができ、手袋を装着した状態での作業性を向上することができる。
しかも前記一端近傍には、その全周に設けたプリーツによって適度な伸縮性を付与できるため、手袋の装着のしやすさが妨げられるおそれもない。
【００１４】
その上、前記各プリーツの深さを、前記一端から袖口へ向けて徐々に深くしているため、前記袖部を形成するゴムや樹脂の膜の厚みを大きくすることなしに、前記袖部に適度な剛性を付与して折り返しや垂れ下がりが発生するのを防止することもできる。また、そのために袖部の厚みを大きくする必要がなくなり、手袋を形成するゴムや樹脂の量が増加して手袋が重くなったり、コストが高くついたりするのを防止することもできる。
【００１５】
前記プリーツの深さを、袖部の一端と袖口との間でどの程度まで違えるかは特に限定されないが、前記式(1)によって求められる伸縮比Ｅで表して、袖部の一端において１、袖口において１／０．９以上、１／０．６以下の範囲内とするとともに、前記一端から袖口にかけて前記伸縮比Ｅが徐々に増加するように設定するのが好ましい。
前記伸縮比Ｅを、袖部の一端において１として前記一端にはプリーツを形成せず、そこから袖口に向けてプリーツを徐々に深くしてゆくことにより、前記一端側で袖部を手首の付近にしっかりフィットさせる効果をさらに向上できる。
【００１６】
また、袖口において伸縮比Ｅを１／０．９以上に設定することにより、袖部に適度な剛性を付与して折り返しや垂れ下がりを防止する効果をさらに向上できる。なお袖口の伸縮比Ｅが１／０．６以下であるのが好ましいのは、例えば通常の浸漬法による手袋の製造時に、前記袖口において、プリーツが深すぎることに伴う偏肉や割れが生じるのを防止するためである。かかる偏肉や割れが生じた場合には、却って折り返しや垂れ下がりが発生しやすくなってしまう。
【００１７】
前記袖部の、前記一端から袖口までの長さは１０ｃｍ以上であるのが好ましい。袖部が短いほど折り返しや垂れ下がりは生じにくいものの、前記範囲より短い場合には、水仕事の際に跳ねた水が中に入るのを確実に防止できないおそれがある。
前記手袋を形成するゴムまたは樹脂の厚みは、先に説明したように手袋を形成するゴムや樹脂の量が増加して手袋が重くなったり、コストが高くついたりするのを防止することを考慮すると２．０ｍｍ以下であるのが好ましい。ただし膜の厚みが小さすぎる場合には、たとえプリーツをつけても、袖部に適度な剛性を付与して折り返しや垂れ下がりが発生するのを防止できないおそれがある。そのため膜の厚みは０．１ｍｍ以上であるのが好ましい。
【発明の効果】
【００１８】
本発明によれば、防止具を着脱したり、肘保護物と一緒に装着したりすることなしに、袖部が手袋本体の方にずれ落ちたり、手袋の全体が手からずれたり外れたりするのを確実に防止でき、結果的に水等が侵入し難い手袋を提供することができる。
【図面の簡単な説明】
【００１９】
【図１】本発明の手袋の、実施の形態の一例を示す正面図である。
【図２】図１の例の手袋の、プリーツの概略を説明する図である。
【発明を実施するための形態】
【００２０】
図１は、本発明の手袋の、実施の形態の一例を示す正面図である。図２は、図１の例の手袋の、プリーツの概略を説明する図である。
両図を参照して、この例の手袋１は、略筒状の袖部２と、前記袖部２の一端に連なる手袋本体３とをゴムまたは樹脂の膜によって一体に形成し、かつ前記袖部２の他端を袖口４として開口したものである。
【００２１】
手袋本体３は、従来同様に手の形に対応させて、袖部２に繋がる掌部５と、前記掌部５に連なる複数の指部６とを備えている。
袖部２は、前記手袋本体３側に繋がる一端７側の第一袖部８と、袖口４を構成する第二袖部９とで形成されている。両袖部８、９は、境界部１０で一体に繋がれている。
第一袖部８は、一端７側から境界部１０へかけて周長が徐々に大きくなる略円錐台状に形成されている。また第二袖部９は、前記境界部１０から袖口４へかけて周長が徐々に大きくなる略円錐台状に形成されている。両袖部８、９の、境界部１０での周長は同一とされ、それによって両袖部８、９は全周に亘って一体に繋がれている。
【００２２】
第二袖部９の円錐面を構成する母線の傾斜は、第一袖部８の円錐面を構成する母線の傾斜より大きくされており、それによって第二袖部９は、袖口４において大きく開口されている。
両袖部８、９からなる袖部２には、手袋本体３の掌部５に連なる一端７から袖口４に達する複数のプリーツ１１が、全周に亘って設けられている。
【００２３】
各プリーツ１１は、図２に示すように断面形状が略サインカーブ状に形成されている。前記各プリーツ１１は、図２中に示す深さＤが、一端７から袖口４にかけて徐々に深くされている。
袖部２の一端７と袖口４との間でプリーツ１１の深さをどの程度違えるかは特に限定されないが、前記深さを、手袋１を形成する各部に応力を加えないフリーの状態での周長Ｒ１と、プリーツを伸ばした時の周長Ｒ２とから、式(1)：
伸縮比Ｅ＝Ｒ２／Ｒ１      (1)
で求められる伸縮比Ｅで表したとき、前記一端７において１、袖口４において１／０．９以上、１／０．６以下の範囲内とするのが好ましい。
【００２４】
前記伸縮比Ｅを一端７において１として前記一端７にはプリーツを形成せず、そこから袖口４に向けてプリーツを徐々に深くしてゆくことにより、前記一端７側で第一袖部８を手首の付近にしっかりフィットさせることができる。
しかも前記一端７の近傍には、その全周に設けたプリーツ１１によって適度な伸縮性を付与できるため、手袋１の装着のしやすさが妨げられるおそれもない。
【００２５】
また伸縮比Ｅを袖口４において１／０．９以上に設定することにより、袖部２、すなわち第一および第二の両袖部８、９に適度な剛性を付与して折り返しや垂れ下がりを防止することができる。なお袖口４の伸縮比Ｅが１／０．６以下であるのが好ましいのは、例えば通常の浸漬法による手袋１の製造時に、前記袖口４において、プリーツ１１が深すぎることに伴う偏肉や割れが生じるのを防止するためである。かかる偏肉や割れが生じた場合には、却って折り返しや垂れ下がりが発生しやすくなってしまう。
【００２６】
なおプリーツ１１の具体的な深さＤは、手袋１のサイズ等に応じて、前記伸縮比Ｅを満足するべく任意に設定できるが、袖口４において３ｍｍ以上、特に４ｍｍ以上であるのが好ましく、７ｍｍ以下、特に６ｍｍ以下であるのが好ましい。
袖口４におけるプリーツ１１の深さＤを前記範囲内とすることで、手袋１の製造時に偏肉や割れが生じるのを防止しながら、前記袖口４に適度な剛性を付与して折り返しや垂れ下がりを防止することができる。
【００２７】
前記袖部２の、前記一端７から袖口４までの長さＬは１０ｃｍ以上、特に２０ｃｍ以上であるのが好ましい。袖部２が短いほど折り返しや垂れ下がりは生じにくいものの、前記範囲より短い場合には、水仕事の際に跳ねた水が中に入るのを確実に防止できないおそれがある。
なお長さＬは、例えば肘の付近までを覆うことを考慮すると４０ｃｍ以下、特に３０ｃｍ以下であるのが好ましい。
【００２８】
前記手袋１を形成するゴムまたは樹脂の厚みは、先に説明したように手袋１を形成するゴムや樹脂の量が増加して手袋が重くなったり、コストが高くついたりするのを防止することを考慮すると２．０ｍｍ以下、特に１．５ｍｍ以下であるのが好ましい。ただし膜の厚みが小さすぎる場合には、たとえプリーツ１１をつけても、袖部２に適度な剛性を付与して折り返しや垂れ下がりが発生するのを防止できないおそれがある。そのため膜の厚みは０．１ｍｍ以上、特に０．２ｍｍ以上であるのが好ましい。
【００２９】
なお手袋１の全体が前記厚みの範囲内である必要はなく、例えば袖口４を他の部分より厚肉として適度な剛性を持たせることでさらに折り返しや垂れ下がりを防止したり、指部６の先端を他の部分より厚肉として指先を保護したりしてもよい。
前記手袋１は、袖部２にプリーツ１１を有すること以外は従来同様に構成できる。
例えば手袋１は、従来同様に浸漬法によってゴムのラテックスを図１に示す手袋１の形状に成膜するとともにゴムを加硫させるか、あるいは浸漬法によって樹脂のエマルションを前記手袋１の形状に成膜するとともに樹脂を乾燥固化させることで製造できる。
【００３０】
例えばゴムからなる手袋１を製造する場合には、図１に示す手袋１の形状に対応した型を用意するとともに、前記型の表面を硝酸カルシウム等の凝固剤で処理する。
またゴムラテックスに加硫剤、加硫促進剤、加硫促進助剤（活性化剤）、老化防止剤、充填剤、分散剤等の各種添加剤を加えて、未加硫もしくは前加硫状態の浸漬液を調製する。
【００３１】
次に、前記浸漬液に型を一定時間に亘って浸漬したのち引き上げることで、前記型の表面に浸漬液を付着させる。
そして引き上げた型ごと加熱して浸漬液を乾燥させるとともにゴムを加硫させるか、あるいは一旦乾燥させた後に型ごと加熱してゴムを加硫させたのち脱型することにより、図１に示す手袋１が製造される。
【００３２】
前記ゴムとしては天然ゴム、および合成ゴムの中からラテックス化が可能な種々のゴムがいずれも使用可能であり、かかるゴムとしては、例えば天然ゴム、脱蛋白天然ゴム、ＮＢＲ、スチレン−ブタジエンゴム（ＳＢＲ）、クロロプレンゴム（ＣＲ）等の１種または２種以上が挙げられる。
加硫剤としては硫黄や有機含硫黄化合物等が挙げられる。前記加硫剤の添加量は、ゴムラテックス中の固形分（ゴム分）１００質量部あたり０．５質量部以上、３質量部以下程度であるのが好ましい。
【００３３】
加硫促進剤としては、例えばＰＸ（Ｎ−エチル−Ｎ−フェニルジチオカルバミン酸亜鉛）、ＰＺ（ジメチルジチオカルバミン酸亜鉛）、ＥＺ（ジエチルジチオカルバミン酸亜鉛）、ＢＺ（ジブチルジチオカルバミン酸亜鉛）、ＭＺ（２−メルカプトベンゾチアゾールの亜鉛塩）、ＴＴ（テトラメチルチウラムジスルフィド）等の１種または２種以上が挙げられる。
【００３４】
前記加硫促進剤の添加量は、ゴムラテックス中のゴム分１００質量部あたり０．５質量部以上、３質量部以下程度であるのが好ましい。
加硫促進助剤としては、例えば亜鉛華（酸化亜鉛）やステアリン酸等の１種または２種が挙げられる。前記加硫促進助剤の添加量は、ゴムラテックス中のゴム分１００質量部あたり０．５質量部以上、３質量部以下程度であるのが好ましい。
【００３５】
老化防止剤としては、一般に非汚染性のフェノール類が好適に用いられるが、アミン類を使用してもよい。前記老化防止剤の添加量は、ゴムラテックス中のゴム分１００質量部あたり０．５質量部以上、３質量部以下程度であるのが好ましい。
充填剤としては、例えばカオリンクレー、ハードクレー、炭酸カルシウム等の１種または２種以上が挙げられる。前記充填剤の添加量は、ゴムラテックス中のゴム分１００質量部あたり１０質量部以下程度であるのが好ましい。
【００３６】
分散剤は、前記各種添加剤をゴムラテックス中に良好に分散させるために添加されるものであり、前記分散剤としては、例えば陰イオン系界面活性剤等の１種または２種以上が挙げられる。前記分散剤の添加量は、分散対象である成分の総量の０．３質量部以上、１質量部以下程度であるのが好ましい。
一方、樹脂からなる手袋を製造する場合は、図１に示す手袋１の形状に対応した型を用意するとともに、前記型の表面を、必要に応じて硝酸カルシウム等の凝固剤で処理する。
【００３７】
また樹脂エマルションに、必要に応じて老化防止剤、充填剤、分散剤等の各種添加剤を加えて浸漬液を調製する。
次に、前記浸漬液に型を一定時間に亘って浸漬したのち引き上げることで、前記型の表面に浸漬液を付着させる。
そして一旦乾燥させた後に必要に応じて型ごと加熱して樹脂を固化させるか、あるいは引き上げた型ごと加熱して浸漬液を乾燥させるとともに樹脂を固化させたのち脱型することにより、図１に示す手袋１が製造される。
【００３８】
樹脂としては、塩化ビニル系樹脂、ウレタン系樹脂、アクリル系樹脂等の、エマルション化が可能な樹脂の１種または２種以上が挙げられる。
老化防止剤としては、先に例示した非汚染性のフェノール類やアミン類等の１種または２種以上が挙げられる。前記老化防止剤の添加量は、樹脂エマルション中の固形分（樹脂分）１００質量部あたり０．５質量部以上、３質量部以下程度であるのが好ましい。
【００３９】
充填剤としては、前記例示の充填剤の１種または２種以上が挙げられる。前記充填剤の添加量は、樹脂エマルション中の樹脂分１００質量部あたり１０質量部以下程度であるのが好ましい。
分散剤としては、前記例示の陰イオン系界面活性剤等の１種または２種以上が挙げられる。前記分散剤の添加量は、分散対象である成分の総量の０．３質量部以上、１質量部以下程度であるのが好ましい。
【００４０】
本発明の手袋１は、基本的に前記ゴムまたは樹脂の薄い膜のみによって単層構造に形成するのが好ましいが、必要に応じて繊維等で補強してもよい。すなわち繊維製の編手袋と、ゴムまたは樹脂の膜とを一体化させた、いわゆるサポートタイプの手袋を構成してもよい。
前記サポートタイプの手袋を製造するには、前記型の表面にあらかじめ編手袋を装着した状態で、先に説明した浸漬法によりゴムまたは樹脂の膜を形成するとともに編手袋と一体化させればよい。
【００４１】
前記編手袋としては、例えば綿、ナイロン、ポリエステル等の繊維を編み上げたシームレス編手袋やメリヤス編手袋等が挙げられる。
【実施例】
【００４２】
〈実施例１〉
（浸漬液の調製）
天然ゴムラテックスに、前記天然ゴムラテックス中のゴム分１００質量部あたり、硫黄（加硫剤）１質量部、加硫促進剤ＢＺ（ジブチルジチオカルバミン酸亜鉛）１質量部、亜鉛華（加硫促進助剤）１質量部、および老化防止剤（ｐ−クレゾールとジクロロペンタジエンのブチル化生成物）適量を添加したのち３０℃で２４〜４８時間前加硫させて浸漬液を調製した。
【００４３】
（手袋の製造）
型としては、陶器製で、図１に示す手袋１の形状に対応し、かつ製造する手袋１の各部の寸法が下記のとおりであるものを用意した。
袖部２の長さＬ＝２５ｃｍ
一端７における伸縮比Ｅ＝１
袖口４における伸縮比Ｅ＝１／０．８５
袖口４におけるプリーツ１１の深さＤ＝５ｍｍ
プリーツ１１は、前記一端７から袖口４に向けて徐々に深くなるようにした。
【００４４】
前記型を硝酸カルシウム水溶液に浸漬し、引き上げたのち乾燥させることで、前記型の表面を凝固剤としての硝酸カルシウムによって処理した。
次いで前記型を、液温を２５℃に保持した先の浸漬液に一定の速度で浸漬し、３０秒間保持したのち一定の速度で引き上げることで、前記型の表面に浸漬液を付着させた。
そして引き上げた型ごと１００℃に加熱したオーブン中に入れて６０分間加熱して浸漬液を乾燥させるとともにゴムを加硫させたのち脱型して、図１に示す立体形状を有する、天然ゴムの膜のみからなる単層構造の手袋１を製造した。
【００４５】
前記手袋１のうち袖部２の厚みを、マイクロメータを用いて測定したところ平均厚みは０．４５ｍｍであった。
〈実施例２〜４〉
型の形状を調整して、袖口４における伸縮比Ｅを１／０．９（実施例２）、１／０．８（実施例３）、および１／０．６（実施例４）としたこと以外は実施例１と同様にして、天然ゴムの膜のみからなる単層構造の手袋１を製造した。いずれも袖口４におけるプリーツ１１の深さＤは５ｍｍとした。
【００４６】
〈実施例５〉
型の形状を調整して、袖部２の長さＬを９ｃｍとしたこと以外は実施例１と同様にして、天然ゴムの膜のみからなる単層構造の手袋１を製造した。
〈比較例１〉
型の形状を調整して、一端７から袖口４までプリーツ１１の深さを一定にしたこと以外は実施例１と同様にして、天然ゴムの膜のみからなる単層構造の手袋を製造した。前記一定の深さＤは５ｍｍ、伸縮比Ｅは１／０．８５とした。
【００４７】
〈比較例２〉
型の形状を調整して、プリーツ１１の開始位置を一端７の直下から袖口４側へ５ｃｍ下とし、そこから袖口４へ向けて徐々に深くなるプリーツ１１を設けたこと以外は実施例１と同様にして、天然ゴムの膜のみからなる単層構造の手袋を製造した。開始位置での伸縮比Ｅは１、袖口４における伸縮比Ｅは１／０．８５、深さＤは５ｍｍとした。
【００４８】
〈比較例３〉
型の形状を調整して、袖部２にプリーツ１１を設けなかったこと以外は実施例１と同様にして、天然ゴムの膜のみからなる単層構造の手袋を製造した。
〈着脱性評価〉
実施例、比較例で製造した手袋を被験者に１０回着脱を繰り返してもらい、その間に要した時間を計測して、下記の基準で着脱性を評価した。
【００４９】
◎：２０秒以下。
○：２０秒超、２５秒以下。
△：２５秒超、３０秒以下。
×：３０秒超。
〈折り返し、垂れ下がり防止効果の評価〉
実施例、比較例で製造した手袋を被験者に装着してもらい、腕を１０回上げ下ろしした後、装着直後と比べて袖口が手袋本体の方にずれた距離を計測して、下記の基準で折り返し、垂れ下がり防止効果を評価した。
【００５０】
◎：１ｃｍ以下。
○：１ｃｍ超、３ｃｍ以下。
△：３ｃｍ超、５ｃｍ以下。
×：５ｃｍ超。
〈水跳ね防止効果の評価〉
実施例、比較例で製造した手袋を被験者に装着してもらい、２０分間、食器洗いをしてもらった後、腕に付着した水跳ねの個数を数えた。そして全体の個数のうち、前腕部に付着した水跳ねの個数の占める割合を求めで、下記の基準で水跳ね防止効果を評価した。
【００５１】
◎：０％。
○：０％超、１０％以下。
△：１０％超、３０％以下。
×：３０％超。
以上の結果を表１に示す。
【００５２】
【表１】
2012162825.tif 000003
【００５３】
表１の比較例３の結果より、袖部にプリーツを設けない場合には折り返しや垂れ下がりを防止する効果は得られず、また水跳ね防止の効果も得られないことが判った。
また比較例１の結果より、袖部に深さが一定のプリーツを設けても、折り返しや垂れ下がりを防止する効果、あるいは水跳ね防止の効果は改善されないことが判った。
さらに比較例２の結果より、袖口へ向けて徐々に深くなるプリーツを設けても、その開始位置が袖口の一端よりかなり下にある場合には、着脱性が低下することが判った。
【００５４】
これに対し、実施例１〜５の結果より、袖部２に、一端７から袖口４に達するとともに、前記一端７から袖口４に向けて深さＤが徐々に深くなっているプリーツ１１を設けることにより、良好な着脱性を維持しながら、折り返しや垂れ下がりを防止する効果、および水跳ね防止の効果を向上できることが判った。
また実施例１〜４の結果より、袖部２の伸縮比Ｅは、一端７で１、袖口４で１／０．９以上、１／０．６以下の範囲内であるのが好ましいことが判った。さらに実施例１〜４と実施例５の結果より、袖部２の長さＬは１０ｃｍ以上であるのが好ましいことが判った。
【符号の説明】
【００５５】
１     手袋
２     袖部
３     手袋本体
４     袖口
５     掌部
６     指部
７     一端
８     第一袖部
９     第二袖部
１０   境界部
１１   プリーツ
【図１】
2012162825.tif 000004
【図２】
2012162825.tif 000005
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
略筒状の袖部と、前記袖部の一端に連なる手袋本体とがゴムまたは樹脂の膜によって一体に形成され、かつ前記袖部の他端が袖口として開口された手袋であって、前記袖部には、前記手袋本体に連なる一端から袖口に達する複数のプリーツが全周に亘って設けられているとともに、前記各プリーツは、前記一端から袖口に向けて深さが徐々に深くなっており、前記手袋を形成する各部に応力を加えないフリーの状態での周長Ｒ１と、プリーツを伸ばした時の周長Ｒ２とから、式(1)：
伸縮比Ｅ＝Ｒ２／Ｒ１      (1)
で求められる伸縮比Ｅが、前記袖部の一端において１、袖口において１／０．９以上、１／０．６以下の範囲内で、かつ前記一端から前記袖口にかけて伸縮比Ｅが前記１から徐々に増加していることを特徴とする手袋。
【請求項２】
前記袖部は、前記手袋本体に繋がる一端側の第一袖部と、袖口を構成する第二袖部とからなり、前記両袖部は、前記袖部の長さ方向の途中に設けた境界部で全周に亘って互いに一体に繋がれているとともに、前記第一袖部は、前記一端側から前記境界部へかけて周長が徐々に大きくなる略円錐台状に形成され、かつ前記第二袖部は、前記境界部から前記袖口へかけて周長が徐々に大きくなる略円錐台状に形成され、前記第二袖部の円錐面を構成する母線の傾斜は、前記第一袖部の円錐面を構成する母線の傾斜より大きくされていることを特徴とする請求項１に記載の手袋。
【請求項３】
前記袖部の、前記一端から袖口までの長さが１０ｃｍ以上である請求項１または２に記載の手袋。
【請求項４】
前記膜の厚みが０．１ｍｍ以上、２ｍｍ以下である請求項１ないし３のいずれか１項に記載の手袋。
【手続補正２】
【補正対象書類名】明細書
【補正対象項目名】００１０
【補正方法】変更
【補正の内容】
【００１０】
折り返しや垂れ下がりを防止するには、ゴムまたは樹脂の膜を厚くして剛性を高めればよいが、その場合には手袋を形成するゴムや樹脂の量が増加して手袋が重くなったり、コストが高くついたりするという問題がある。
そこでプリーツの深さについてさらに検討した結果、袖部の全周に亘って形成するプリーツの深さを、手袋本体に連なる一端から袖口に向けて、所定の比率で徐々に深くすればよいことを見出し、本発明を完成するに至った。
【手続補正３】
【補正対象書類名】明細書
【補正対象項目名】００１１
【補正方法】変更
【補正の内容】
【００１１】
すなわち本発明は、略筒状の袖部と、前記袖部の一端に連なる手袋本体とがゴムまたは樹脂の膜によって一体に形成され、かつ前記袖部の他端が袖口として開口された手袋であって、前記袖部には、前記手袋本体に連なる一端から袖口に達する複数のプリーツが全周に亘って設けられているとともに、前記各プリーツは、前記一端から袖口に向けて深さが徐々に深くなっており、前記手袋を形成する各部に応力を加えないフリーの状態での周長Ｒ１と、プリーツを伸ばした時の周長Ｒ２とから、式(1)：
伸縮比Ｅ＝Ｒ２／Ｒ１      (1)
で求められる伸縮比Ｅが、前記袖部の一端において１、袖口において１／０．９以上、１／０．６以下の範囲内で、かつ前記一端から前記袖口にかけて伸縮比Ｅが前記１から徐々に増加していることを特徴とする。
【手続補正４】
【補正対象書類名】明細書
【補正対象項目名】００１２
【補正方法】変更
【補正の内容】
【００１２】
本発明によれば、前記のように袖部の全周に亘って、手袋本体に連なる一端から袖口に達するプリーツを設けるとともに、各プリーツの深さを、前記一端近傍において浅くすることで、前記式(1)によって求められる伸縮比Ｅを、前記一端近傍において小さくしている。
【手続補正５】
【補正対象書類名】明細書
【補正対象項目名】００１５
【補正方法】変更
【補正の内容】
【００１５】
また前記伸縮比Ｅを、袖部の一端において１として前記一端にはプリーツを形成せず、そこから袖口に向けてプリーツを徐々に深くしてゆくことにより、前記一端側で袖部を手首の付近にしっかりフィットさせる効果をさらに向上できる。
【手続補正６】
【補正対象書類名】明細書
【補正対象項目名】００１６
【補正方法】変更
【補正の内容】
【００１６】
また、袖口において伸縮比Ｅを１／０．９以上に設定することにより、袖部に適度な剛性を付与して折り返しや垂れ下がりを防止する効果をさらに向上できる。なお袖口の伸縮比Ｅが１／０．６以下とされるのは、例えば通常の浸漬法による手袋の製造時に、前記袖口において、プリーツが深すぎることに伴う偏肉や割れが生じるのを防止するためである。かかる偏肉や割れが生じた場合には、却って折り返しや垂れ下がりが発生しやすくなってしまう。
【手続補正７】
【補正対象書類名】明細書
【補正対象項目名】００２３
【補正方法】変更
【補正の内容】
【００２３】
各プリーツ１１は、図２に示すように断面形状が略サインカーブ状に形成されている。前記各プリーツ１１は、図２中に示す深さＤが、一端７から袖口４にかけて徐々に深くされている。
袖部２の一端７と袖口４との間でプリーツ１１の深さをどの程度違えるかは特に限定されないが、前記深さを、手袋１を形成する各部に応力を加えないフリーの状態での周長Ｒ１と、プリーツを伸ばした時の周長Ｒ２とから、式(1)：
伸縮比Ｅ＝Ｒ２／Ｒ１      (1)
で求められる伸縮比Ｅで表したとき、前記一端７において１、袖口４において１／０．９以上、１／０．６以下の範囲内とされる。
【手続補正８】
【補正対象書類名】明細書
【補正対象項目名】００２５
【補正方法】変更
【補正の内容】
【００２５】
また伸縮比Ｅを袖口４において１／０．９以上に設定することにより、袖部２、すなわち第一および第二の両袖部８、９に適度な剛性を付与して折り返しや垂れ下がりを防止することができる。なお袖口４の伸縮比Ｅが１／０．６以下とされるのは、例えば通常の浸漬法による手袋１の製造時に、前記袖口４において、プリーツ１１が深すぎることに伴う偏肉や割れが生じるのを防止するためである。かかる偏肉や割れが生じた場合には、却って折り返しや垂れ下がりが発生しやすくなってしまう。